(57)【要約】【課題】  簡単な構成でパチンコ遊技島全体の高さを低くできるパチンコ玉搬送装置とする。【解決手段】  パチンコ台列の上部タンク５から固定補給樋６を介して、上下に揺動可能のユニット補給樋１０ａ、１０ｂを含む搬送ユニットを順次に並べる。各ユニット補給樋はその長さを隣接するパチンコ台間の間隔に対応させたる。２つのユニット補給樋の各前端がモータ３０で駆動される偏心カム３３ａ、３３ｂで交互に押し上げられ、これによりユニット補給樋１０ａ、１０ｂが交互に揺動して、各樋上のパチンコ玉を間欠的に次の樋へ移送する。各ユニット補給樋が短いので揺動したときの傾斜高さも低いから搬送ユニットの高さを低くできる。【選択図】        図１
2006181083.tif 000002
【特許請求の範囲】
【請求項１】
複数のパチンコ台を並べた遊技島の上部においてパチンコ台列方向にパチンコ玉を搬送するパチンコ玉の搬送装置であって、
所定数のパチンコ台ごとの間隔に対応する長さを有して、パチンコ台列方向に並べられたユニット補給樋と、
隣接するユニット補給樋間でパチンコ玉を下流側へ移送させる駆動機構とを有していることを特徴とするパチンコ玉の搬送装置。
【請求項２】
前記駆動機構は、前記隣接するユニット補給樋のそれぞれの前端を交互に上下させて、当該隣接するユニット補給樋をその各下流側を支点として交互に揺動させるものであることを特徴とする請求項１記載のパチンコ玉の搬送装置。
【請求項３】
前記ユニット補給樋にそって対応するパチンコ台側の玉導入口が設けられるとともに、ユニット補給樋の側壁には当該ユニット補給樋が揺動により傾斜した状態でのみパチンコ玉通過可能に前記玉導入口と連通する玉供給孔が設けられていることを特徴とする請求項１または２記載のパチンコ玉の搬送装置。
【請求項４】
前記ユニット補給樋および駆動機構はパチンコ台列の上部に設置されたフレームに支持され、
前記ユニット補給樋は前記フレーム側の部材上に載置状態で着脱自在に支持されていることを特徴とする請求項１から３のいずれか１に記載のパチンコ玉の搬送装置。
【請求項５】
前記ユニット補給樋の長さは、隣接する各パチンコ台ごとの間隔に対応する長さであることを特徴とする請求項１から４のいずれか１に記載のパチンコ玉の搬送装置。
【発明の詳細な説明】
【技術分野】
【０００１】
本発明は、遊技島におけるパチンコ玉の搬送装置に関する。
【背景技術】
【０００２】
多数のパチンコ台を横方向に隣接して並べた遊技島には中央部に玉磨き揚送装置を設け、当該玉磨き揚送装置で磨かれたパチンコ玉は、上部に設置した上部タンク内に貯留され、上部タンクから遊技島の末端へ傾斜させて延ばした補給樋を介して各パチンコ台または玉貸機に供給するようになっていた。
【０００３】
上記傾斜させて延ばした補給樋を遊技島の上部に取り付けるためには所定の傾斜角度を確保しなければならず、このため補給樋の上部タンク側端部は末端側の他端よりも３０〜５０ｃｍも高くする必要があった。
この結果、パチンコ台上部で補給樋（搬送装置）を隠すカバー板の高さ寸法が大きくなり、島全体の高さが遊技者に対して圧迫感を与えるという問題があった。
【０００４】
このため、補給樋（搬送装置）の高さを抑え、カバー板の高さを低くできるものとして、例えば特開平６−３９１３６号公報に開示された搬送装置がある。
これは、パチンコ台列にそって略水平方向に搬送ベルトを配置したもので、従来の補給樋のように傾斜させて一端を高くする必要がないので、遊技島の高さを低く抑えることができる。
また他の例として、特開２００４−２７５６７０号公報には、パチンコ台列にそって複数の回転ディスクを隣接して並べた水平搬送装置が示されている。これは互いに逆方向に回転させた隣接する回転ディスク間でパチンコ玉を受け渡ししながら搬送するものである。
【特許文献１】特開平６−３９１３６号公報
【特許文献２】特開２００４−２７５６７０号公報
【発明の開示】
【発明が解決しようとする課題】
【０００５】
しかしながら、特開平６−３９１３６号公報のものは、両端にローラを配置しそのローラ間にベルトを巻き回したコンベア構成であるから、遊技島の上部に設置する作業は面倒で時間がかかるうえ、ベルトの切断、伸びやスリップ発生の可能性があり、パチンコ店内の現地での調整、補修の必要もあるという問題がある。
また特開２００４−２７５６７０号公報のものでは、搬送途中でパチンコ玉同士が詰まってしまった場合回転ディスクが回転できなくなる事態が生じるため、末端までスムーズにパチンコ玉を送ることができず、さらに多数の回転ディスクを連続的に並べて設置する必要があることから施工に時間を要するとともに、コスト高とならざるを得ないという問題がある。
【０００６】
したがって本発明は、上記従来の問題点に鑑み、遊技島全体の高さを低くでき、かつ簡単な構成で安価に実現できるパチンコ玉の搬送装置を提供することを目的とする。
【課題を解決するための手段】
【０００７】
このため、本発明のパチンコ玉の搬送装置は、所定数のパチンコ台ごとの間隔に対応する長さを有して、パチンコ台列方向に並べられたユニット補給樋と、
隣接するユニット補給樋間でパチンコ玉を下流側へ移送させる駆動機構とを有するものとした。
【発明の効果】
【０００８】
駆動機構により例えば隣接するユニット補給樋を交互に揺動傾斜させてパチンコ玉を移送させる場合でも、パチンコ台列の末端まで延ばした１本の補給樋を傾斜させるものと比較して、個々のユニット補給樋の傾斜高さが低くなるので、搬送装置全体の高さ寸法を小さくすることができる。
【発明を実施するための最良の形態】
【０００９】
以下、本発明の実施の形態について詳細に説明する。本実施の形態は、それぞれ横に複数のパチンコ台を並べた２面のパチンコ台列を互いに背中合わせにして形成した遊技島に適用したもので、２面のパチンコ台列間の空間上部に配置される。横に隣接するパチンコ台間には各パチンコ台に付設された玉貸機が配置されている。
図１は実施の形態にかかる搬送装置の基本構成を示す側面図、図２は平面図である。
不図示の玉磨き揚送装置の上に上部タンク５が設置され、この上部タンク５には揚送されたパチンコ玉が貯留されるようになっている。
【００１０】
搬送装置１は、上部タンク５から当該上部タンク５に固定的に接続された固定補給樋６を介して、順次上下に揺動可能のユニット補給樋１０（１０ａ、１０ｂ）を遊技島の島端へ向けて並べて構成されている。各ユニット補給樋１０はその長さが１台のパチンコ台とそれに付設された玉貸機の幅に対応させてあり、２つの連続するユニット補給樋１０ａ、１０ｂが１機のモータ３０で揺動駆動されるようになっている。
固定補給樋６は、上部タンク５とユニット補給樋１０とを接続する接続ユニットの役割を果たしている。なお、ここでの固定補給樋６はパチンコ台と玉貸機の幅に対応した長さとするが、短小のものであってもよい。
固定補給樋６、ユニット補給樋１０、モータ３０等はパチンコ台列の上に設置されたフレーム５０に支持されている。
【００１１】
固定補給樋６は上に開いた断面コ字形状をなし、その両側壁８には玉供給孔１３を備え、各ユニット補給樋１０も上に開いた断面コ字形状をなし、それぞれその両側壁１２には玉供給孔１３を備えている。固定補給樋６および各ユニット補給樋１０を挟む幅方向両側にはそれぞれ玉供給孔１３に対応させた貯留ボックス４０が設けられている。なお、図１には固定補給樋６にそった貯留ボックス４０のみ示し、各ユニット補給樋１０両側の貯留ボックスは省略してある。
玉供給孔１３を通って固定補給樋６あるいはユニット補給樋１０から貯留ボックスへ流れたパチンコ玉は貯留ボックス４０に一旦滞留したあと、下方に位置する図示しないパチンコ台および玉貸機へ供給される。
【００１２】
図３は１つのユニット補給樋まわりを拡大して示し、図４は図３におけるＡ部の拡大斜視図、図５は図３のＢ部の拡大斜視図である。
ここで、パチンコ玉を搬送する際の上流側、すなわち上部タンク５側を前方、下流側を後方とする。
フレーム５０は横に並べられたパチンコ台の間隔と同じ間隔で設けられたクロス部材５２を備える。
各クロス部材５２には、フレーム側の部材として支持ポスト２０が固定されている。とくに図４に示すように、支持ポスト２０はユニット補給樋１０と同様のコ字形状の断面を有し、ユニット補給樋１０を内側に抱くように、側壁２２間の幅がユニット補給樋１０よりわずかに大きい。
【００１３】
支持ポスト２０の底壁２１の前端はクロス部材５２よりも所定量前方へ張り出し、この張り出し部分には幅方向に互いに離間させたスリット状の受け穴２４が設けられている。
支持ポスト２０の底壁２１の後端はクロス部材５２の後面に一致させてある一方、側壁２２はクロス部材５２よりも後方へ張り出し、後端部の下辺から内側に向けて折り曲げた受け片２５を備えている。とくに図５に示すように、受け片２５はユニット補給樋１０の前端部を支持する。
支持ポスト２０はユニット補給樋１０の前方、後方を横切っているフレームのクロス部材５２ごとに設置されている。
【００１４】
ユニット補給樋１０は、図４に示すように、その底壁１１の後端に、支持ポスト２０の受け穴２４に対応して互いに離間させそれぞれ下方へほぼ直角に折り曲げた２つのヒンジ片１４を備え、これらのヒンジ片１４を受け穴２４に差し込んで支持ポスト２０に揺動可能に支持されている。
ユニット補給樋１０の底壁１１の前端は、図５に示すように、全幅にわたって下方へ折り曲げられて前壁１５を形成し、前壁１５の下端は後方へ折り曲げられて底壁１１と平行なフランジ１６となっている。
ユニット補給樋１０は、支持ポスト２０の受け片２５に支持された状態のとき、その底壁１１前端が支持ポスト２０の底壁２１とほぼ整合するようになっている。
【００１５】
図３に示すように、フレーム５０のクロス部材５２にはユニット補給樋１０の下方に、カム支持軸３２を回転可能に支持する軸受け３１が取り付けられ、カム支持軸３２がフレームに取り付けられたモータ３０により回転駆動されるようになっている。カム支持軸３２には偏心カム３３（３３ａ、３３ｂ）が取り付けられ、カム支持軸３２の回転により偏心カム３３がユニット補給樋前壁１５のフランジ１６下面を押し上げ、これにより支持ポスト２０の受け穴２４を支持点としてユニット補給樋１０は揺動する。
偏心カム３３は、ユニット補給樋１０前端を押し上げる必要のない所定の回転角度区間ではフランジ１６から離れて接触しないように設定されている。
【００１６】
偏心カム３３には、その回転軸上にコネクタ３４が設けられている。コネクタ３４は図５に示すように、軸に直角な断面においてコ字形の差込部３５を有している。
前述のように、隣接するクロス部材５２に支持された２つの偏心カム３３ａ、３３ｂが１機のモータ３０で回転駆動される。すなわち、前側のクロス部材５２に取り付けられた軸受け３１に支持されたカム支持軸３２は直接モータ３０に接続され、後側のクロス部材５２の軸受け３１に支持されたカム支持軸３２は、図３に示すように、前側の偏心カム３３ａのコネクタ３４に連結軸３６を介して接続される。これにより、各カム支持軸３２に取り付けられた２つの偏心カム３３ａ、３３ｂが一体に回転する。
【００１７】
これら隣接の２つの偏心カム３３ａ、３３ｂは互いに取付け角度が異なり、前側の偏心カム３３ａが対応する前側のユニット補給樋１０ａ前端を押し上げる間は、後側の偏心カム３３ｂは対応する後側のユニット補給樋１０ｂ前端を押し上げず、後側のユニット補給樋１０ｂの前端は支持ポスト２０の受け片２５に着座状態となるように設定してある。逆の場合も同様である。
【００１８】
搬送装置１は、図１に示すように、共通のモータ３０で駆動される２つのユニット補給樋１０ａ、１０ｂを１つの搬送ユニット２としてこれを順次に並べて形成されている。フレーム５０も搬送ユニット単位に分割することができる。
なお、上部タンク５に接続する固定補給樋６の後端もユニット補給樋１０の後端と同一構成で、底壁７に設けたヒンジ片１４を支持ポスト２０の受け穴２４に差し込んで支持ポスト２０に支持される。固定補給樋６の側壁８間の幅寸法はユニット補給樋１０の側壁１２間の幅寸法と同じとしてある。
また、２つのユニット補給樋１０ａ、１０ｂを１単位とする搬送ユニット２を並べたあと、遊技島の長さの都合により島端において１つのユニット補給樋１０ａだけ必要な場合は、搬送ユニット２のうち後側のユニット補給樋１０ｂおよび連結軸３６を廃すればよい。
【００１９】
ユニット補給樋１０の側壁１２には、前後方向の中間部に前述の玉供給孔１３が設けられている。玉供給孔１３はその下縁が底壁１１と一致して前後方向に延びる長い矩形穴となっている。この玉供給孔１３を介してユニット補給１０樋と連通可能に貯留ボックス４０がフレーム５０に対して固定的に設置されている。
図６は貯留ボックス４０の構成を示す縦断面図、図７は図６におけるＣ−Ｃ部断面図である。なお、図６ではユニット補給樋１０と貯留ボックス４０とを重ねて描いている。
貯留ボックス４０は、そのユニット補給樋１０に面する内側側壁４２のうち、上部側壁４２ａをユニット補給樋１０の側壁１２に整合させて相対的にスライド可能に配置されている。
【００２０】
貯留ボックス４０の上壁４１は、上記ユニット補給樋１０に面する上部側壁４２ａを含む周囲の壁の上縁よりも低く、これにより貯留ボックス４０の上部は上方開放の受け皿状の上室Ｒ１となっている。
上部側壁４２ａにはユニット補給樋１０の玉供給孔１３に対応させて玉導入口４７が設けられている。玉導入口４７はその下辺を前後方向で水平とした切り欠きとして形成されている。
上壁４１は上部側壁４２ａとの接続線を玉導入口４７の下辺以下とし、対向する外側側壁４３側へ下降傾斜する側方傾斜部４１ａと、これに続いて前方へ下降傾斜する前後傾斜部４１ｂとからなっている。
【００２１】
内側側壁のうち下部側壁４２ｂは、側方傾斜部４１ａに対応する分だけユニット補給樋１０から離れる側へ上部側壁４２ａよりオフセットしている。これにより、上室Ｒ１の下方にはユニット補給樋１０側にスペースが形成される。一方、外側側壁４３は上室Ｒ１および後述の下室Ｒ２にわたって一平面となっている。
前後傾斜部４１ｂの前端は前壁４４手前で終わり、前壁４４との間隙を下室Ｒ２への連通口としている。
底壁４６は上壁の前後傾斜部４１ｂとの間に下室Ｒ２を形成し、後方へ下降傾斜している。
以上の側方傾斜部４１ａ、前後傾斜部４１ｂおよび底壁４６により、貯留ボックス４０内部には折り返し通路が形成される。
【００２２】
下室Ｒ２の後壁４５には第１の排出口６０が設けられ、下部側壁４２ｂには第２の排出口６３が設けられている。後壁４５の外面には前述のスペースまで延びる第１の排出通路６１が設けられ、下部側壁４２ｂの外面にはスペース内に第２の排出通路６４が設けられている。第１の排出通路６１および第２の排出通路６４はそれぞれスペース内を通るホース６２、６５により、図示省略のパチンコ台および玉貸機に接続される。
【００２３】
図７の（ａ）はユニット補給１０樋の前端が支持ポスト２０の受け片２５に着座しているときの状態を示し、（ｂ）はユニット補給樋１０の前端が偏心カム３３により押し上げられたときの状態を示している。
図８は図７におけるＤ−Ｄ部断面を拡大して、ユニット補給樋１０の上下揺動に伴う玉供給孔１３と貯留ボックス４０の玉導入口４７の関係を示す図である。
（ａ）はユニット補給樋１０の前端が支持ポスト２０の受け片２５に着座しているときの状態を示し、ユニット補給樋１０の底壁１１は貯留ボックス４０の玉導入口４７の下辺よりも低い位置にあり、したがって玉供給孔１３の下辺よりも玉導入口４７の下辺のほうが高くなっている。ユニット補給樋１０上のパチンコ玉は、ほとんど１層止まりであるので、玉供給孔１３の下辺よりも高い玉導入口４７へ流れ込むことができない。このためパチンコ玉はユニット補給樋１０上に保持される。
【００２４】
図８の（ｂ）はユニット補給樋１０の前端が偏心カム３３により押し上げられたときの状態を示し、この状態でユニット補給樋１０の底壁１１は玉導入口４７の下辺と同じまたはより高い位置となるように設定されている。したがって、玉導入口４７の下辺が玉供給孔１３よりも低いので、ユニット補給樋１０上のパチンコ玉は、前端が押し上げられたことによる傾斜のため後方（下流側）へ転動するとともに、矢示のように玉供給孔１３から玉導入口４７へも流れ込み、この結果、貯留ボックス４０にパチンコ玉が供給される。
以上のように、ユニット補給樋１０の揺動にしたがって、その底壁１１に沿う玉供給孔１３の下辺が貯留ボックス４０の玉導入口４７の下辺に対して相対的に上下する構造により、玉供給孔１３と玉導入口４７がパチンコ玉の進入を阻止、許可するシャッター機能が得られる。
【００２５】
貯留ボックス４０内部には前述のとおり折り返し通路が形成されているので、当該折り返し通路を通過していく間パチンコ玉は貯留ボックス４０内部に滞留する。このため、各パチンコ台の上皿タンクや玉貸機内の玉保留に加えて、予備のパチンコ玉が貯留ボックス４０に貯留されるので、個別のパチンコ台等において連続した大当たりが生じても玉不足による補給トラブルが防止される。
【００２６】
固定補給樋６の玉供給孔１３に対応させて設置された貯留ボックス４０へのパチンコ玉供給も上記と同様である。
なお、上記貯留ボックス４０の説明では、図６におけるユニット補給樋に対して紙面手前側に設置したものについて述べたが、本実施の形態では、同一構成の貯留ボックス４０を固定補給樋６およびユニット補給樋１０の両側に設置したので、固定補給樋６およびユニット補給樋１０を挟んで反対側の貯留ボックスについては前壁４４、後壁４５の前後関係は逆となる。
【００２７】
図９は上記のように構成された実施の形態のパチンコ玉搬送動作を示す。
上部タンク５から固定補給樋６を介して、順次並べられた搬送ユニット２のそれぞれにおいて、前側のユニット補給樋１０ａ前端に対して設けられた偏心カム３３ａと後側のユニット補給樋１０ｂ前端に対して設けられた偏心カム３３ｂとは、互いに１８０°角度をずらせてあるものとする。
（ａ）は前側のユニット補給樋１０ａ前端に対して設けられた偏心カム３３ａの山（最大径の頂部）が下を向いているときを示し、後側の偏心カム３３ｂが後側のユニット補給樋１０ｂ前端を押し上げている。前側のユニット補給１０ａ樋はその底壁１１前端が、支持ポスト２０の底壁２１と面一に整合する水平姿勢となるので、上部タンク５から傾斜した固定補給樋６を転動落下するパチンコ玉は、支持ポスト２０を経て前側のユニット補給樋１０へ移動する。
【００２８】
ここで、後側のユニット補給樋１０ｂは前端が押し上げられているので、その前壁１５が支持ポスト２０の底壁２１に対して立ち上がっている。このため、前側のユニット補給樋１０ａに流入したパチンコ玉は後側のユニット補給樋１０ｂへの移動を阻止される。この間、前側のユニット補給樋１０ａの玉供給孔１３は貯留ボックス４０の玉導入口４７の下辺よりも低いから、パチンコ玉は前側のユニット補給樋１０上に保持される。（図８の（ａ）参照）
【００２９】
次に、モータ３０の駆動により偏心カムが１８０°回転したときには、図９の（ｂ）に示すように、前側の偏心カム３３ａが前側のユニット補給樋１０ａ前端を押し上げる一方、後側のユニット補給樋１０ｂが支持ポスト２０の底壁２１と面一に整合する水平姿勢となる。
傾斜した前側のユニット補給樋１０ａ上のパチンコ玉は支持ポスト２０を経て水平姿勢の後側のユニット補給樋１０ｂへ転動して移動する。同時に、前側のユニット補給樋１０の玉供給孔１３が貯留ボックス４０の玉導入口４７の下辺よりも高い位置となるので、玉供給孔１３から貯留ボックス４０へ流れ出る。（図８の（ｂ）参照）
【００３０】
連設された各搬送ユニット２において上述と同じに前側のユニット補給樋１０ａと後側のユニット補給樋１０ｂが交互に揺動するので、後側のユニット補給樋１０ｂが水平姿勢のとき、隣接する下流側の搬送ユニットの前側のユニット補給樋１０ａの前壁１５が支持ポスト２０の底壁２１に対して立ち上がっている。このため、後側のユニット補給樋１０ｂに流入したパチンコ玉は次の搬送ユニットの前側のユニット補給樋１０ａへの移動を阻止されて、当該後側のユニット補給樋１０ｂ上に保持される。
【００３１】
各搬送ユニット２のモータ３０の回転速度を同期させて、上記のユニット補給樋１０ａ、１０ｂの揺動を繰り返すことにより、上部タンクからのパチンコ玉は順次後方（下流側）へ水平方向に搬送されるとともに、その間、各ユニット補給樋１０の前端が偏心カム３３で押し上げられて傾斜した際に、パチンコ玉が当該ユニット補給樋に付設された貯留ボックス４０へ流れ出て、それぞれのパチンコ台や玉貸機へ供給される。
本実施の形態では、モータ３０に駆動されて回転する偏心カム３３で、ユニット補給樋１０の前端のフランジ１６を押し上げ、ユニット補給樋１０を上下に揺動させる構成が、発明における駆動機構を形成している。
【００３２】
実施の形態は以上のように構成され、パチンコ台ごとの間隔に対応する長さを有するユニット補給樋１０をパチンコ台列方向に並べ、隣接するユニット補給樋１０ａ、１０ｂのそれぞれの前端を交互に上下させて、ユニット補給樋の下流側を支点として交互に揺動させることにより、隣接するユニット補給樋間でパチンコ玉を下流側へ移送させるものとしたので、パチンコ台列の末端まで延ばした１本の補給樋を傾斜させるものと比較して、個々のユニット補給樋の傾斜高さが低くなり、搬送装置全体の高さ寸法を小さくすることができる。
簡単構造のユニット補給樋を用いるので、コンベア構成や回転ディスクを用いるものに比較して調整作業の必要性や劣化の問題がなく、コストも低く抑えられる。
【００３３】
また、各ユニット補給樋１０にそって対応するパチンコ台等につながる貯留ボックス４０を設け、その玉導入口４７をユニット補給樋の側壁１２に対向させるとともに、ユニット補給樋１０の側壁１２には当該ユニット補給樋が揺動により傾斜した状態でのみパチンコ玉通過可能に玉導入口４７と連通する玉供給孔１３を設けたので、ユニット補給樋間の間欠的な移送に同期して簡単な構造でパチンコ台側へ自動的にパチンコ玉が供給される。
【００３４】
とくに、ユニット補給樋１０はクロス部材５２に固定された支持ポスト２０の受け穴２４に後端のヒンジ片１４を差し込み、前端を支持ポスト２０の受け片２５に着座させて、フレーム５０側部材に載置した状態で着脱自在に支持するようにしているので、メインテナンスや交換が容易である。
【００３５】
なお、実施の形態ではユニット補給樋１０を揺動させるため、ユニット補給樋前端に設けたフランジと摺接する偏心カム３３を用いたが、カム支持軸３２からアームを延ばしてその先端にローラを設けたものを用いると、摩擦が低減してより滑らかな作動が得られる。
【００３６】
また、ユニット補給樋１０ａ、１０ｂを共通のモータ３０で揺動させるものとしたが、各ユニット補給樋ごとにモータを設けて同期回転するようにしてもよい。
また、ユニット補給樋１０の揺動をモータ３０により行うものとしたが、これに限定されず、ソレノイドや流体圧利用の駆動機構を用いることもできる。
さらに、駆動機構として、実施の形態ではユニット補給樋を揺動させる構成としたが、これに限定されず、例えば下流側を下方に傾斜配置したユニット補給樋の下端に外周面に摩擦弾性体を備えたローラを設けて、該ローラを回転させることにより隣接するユニット補給樋上へパチンコ玉を移送したり、あるいは同じく傾斜配置したユニット補給樋の下端に外周にパチンコ玉を保持可能な凹部を備えるスプロケットを設け、該スプロケットを回転させることにより隣接するユニット補給樋上へパチンコ玉を移送する構成の駆動機構を採用することもできる。
【００３７】
また、実施の形態は２面のパチンコ台列を互いに背中合わせにして形成した遊技島に適用した例について示したが、本発明は片面だけの遊技島にももちろん適用することができる。
さらに、実施の形態ではユニット補給樋１０の長さを隣接するパチンコ台間の間隔に対応した長さとしたが、搬送ユニット単位、すなわち２台のパチンコ台ごとの間隔に対応した長さとしてもよい。要は、上部タンクから島端までの距離を複数に分割した長さのユニット補給樋を用いることにより、当該ユニット補給樋を傾斜させてもその傾斜高さが低くなり、搬送装置全体の高さ寸法を小さくすることができる。
【図面の簡単な説明】
【００３８】
【図１】本発明の実施の形態の基本構成を示す側面図である。
【図２】実施の形態の基本構成を示す平面図である。
【図３】ユニット補給樋まわりを示す拡大図である。
【図４】図３におけるＡ部の拡大斜視図である。
【図５】図３におけるＢ部の拡大斜視図である。
【図６】貯留ボックスの構成を示す縦断面図である。
【図７】図６におけるＣ−Ｃ部断面図である。
【図８】図６におけるＤ−Ｄ部断面を拡大して、ユニット補給樋の上下揺動に伴う貯留ボックスとの関係を示す図である。
【図９】パチンコ玉の搬送動作を示す説明図である。
【符号の説明】
【００３９】
１      搬送装置
２      搬送ユニット
５      上部タンク
６      固定補給樋
７      底壁
８      側壁
１０、１０ａ、１０ｂ    ユニット補給樋
１１    底壁
１２    側壁
１３    玉供給孔
１４    ヒンジ片
１５    前壁
１６    フランジ
２０    支持ポスト
２１    底壁
２２    側壁
２４    受け穴
２５    受け片
３０    モータ
３１    軸受け
３２    カム支持軸
３３、３３ａ、３３ｂ    偏心カム
３４    コネクタ
３６    連結軸
４０    貯留ボックス
４１    上壁
４１ａ    側方傾斜部
４１ｂ    前後傾斜部
４２    内側側壁
４２ａ    上部側壁
４２ｂ    下部側壁
４３    外側側壁
４４    前壁
４６    底壁
４７    玉導入口
５０    フレーム
５２    クロス部材
６０、６３    排出口
６１、６４    排出通路
６２、６５    ホース
Ｒ１    上室
Ｒ２    下室
【図１】
2006181083.tif 000003
【図２】
2006181083.tif 000004
【図３】
2006181083.tif 000005
【図４】
2006181083.tif 000006
【図５】
2006181083.tif 000007
【図６】
2006181083.tif 000008
【図７】
2006181083.tif 000009
【図８】
2006181083.tif 000010
【図９】
2006181083.tif 000011